(57)【特許請求の範囲】
【請求項１】
弾性並びに可撓性を有する樹脂材料を成型して製作するフィルターケース本体はケース本体部とケース蓋部を丁番を介して連繋しており互いに回動することで開閉可能となし、前記ケース本体部には箱部を設けまたケース蓋部には上箱部を設けて、該ケース本体部の箱体とケース蓋部の上箱部が互いに重合することにより中空フィルター内蔵箱体を形成し、該中空フィルター内蔵箱体内にはフィルターを保持するための二つの支持突起と支持リブを持設し、該支持突起と支持リブ間に内接保持されたフィルターをケース本体部に設けられた押しツブシリブと前記ケース蓋内部に設けられた挟持用突部にて挟持する形状を有し、前記フィルターを挟持するケース本体部とケース蓋部間はケース本体に設けられたラッチとケース蓋に設けられたラッチ受け部が係合することによりロックされ且つ内蔵されるフィルターがケース本体部とケース蓋部間で挟持されていることを特徴とするカメラ用フィルターケース。
【請求項２】
前記ケース本体部とケース蓋部間をロックするために設けられるラッチはケース本体に回転可能に設置された二本の枢軸に連繋して一体的に製作された夫々のツマミ用アームを設け、該夫々のツマミ用アーム間に装架された湾曲摺動ラッチ部と、該湾曲摺動ラッチ部中央に設けられた摺動子並びに摺動子上部に設けられた凸形状突起からなり、該摺動子並びに凸形状突起が前記ケース蓋部に設けられたラッチ受け部に係合してケース本体部とケース蓋部間をロックする構成を有し、該ケース本体部とケース蓋部のロック解除は前記二本の枢軸に連繋して一体的に製作された夫々のツマミ用アームを両端より摘むことによりツマミ用アーム間に装架された湾曲摺動ラッチ部を湾曲させて湾曲摺動ラッチ部中央に設けられた摺動子並びに摺動子上部に設けられた凸形状突起を摺動させることにより前記ラッチ受け部との係合を解除し前記凸形状突起がラッチ受け部を介してケース蓋部を上部に押し上げる構成を有していることを特徴とする請求項１に記載されたカメラ用フィルターケース。
【請求項３】
前記ケース本体部の箱体とケース蓋体の上箱部や丁番並びにラッチ部、ラッチ受け部は弾性並びに可撓性を有するプラスチック樹脂材料を用いて成型し、前記ケース本体部の箱体内部に設けられるフィルターを保持するための支持リブ及び押しツブシリブは熱可塑性エラストマー樹脂をインサート成型してケース本体に溶着することを特徴とする請求項１または請求項２のいずれかに記載されたカメラ用フィルターケース。
【請求項４】
前記ケース本体部の箱体内部に設けられるフィルターを保持するための支持リブは複数本設けられ、該複数本の支持リブの内接面と対向する位置に設けられた二つの支持突起間の距離を変えることにより選択した直径サイズの異なるフィルターを一枚ずつ内蔵でき、該フィルターは前記ケース本体とケース蓋部間をラッチとラッチ受け部にてロックすることにより前記フィルターがケース本体部とケース蓋部間の押しツブシリブとケース蓋部内部に設けられたフィルター挟持用突部にて挟持されていることを特徴とする請求項１乃至請求項３のいずれかに記載されたカメラ用フィルターケース。
【請求項５】
前記ケース本体部の箱体内部に設けられるフィルターを挟持するための押しツブシリブの断面形状は三角形状、或いは台形状を有した熱可塑性エラストマー樹脂により形成されていることを特徴とする請求項１乃至請求項４のいずれかに記載されたカメラ用フィルターケース。
【発明の詳細な説明】
【技術分野】
【０００１】
本発明は、カメラ用フィルターケースに関するものであり、特に本発明は、サイズ（直径や厚さ）の異なるカメラ用フィルターを一枚選択してフィルターケース内に納めて持ち運びするタイプのカメラ用フィルターケースに関するものである。
【０００２】
本発明のカメラ用フィルターケースは、一枚のフィルターをフィルターケース内に収納してカメラバックやショルダーバック、或いはリュックに入れて持ち運ぶ際にフィルターケース内でカタカタ音がしないフィルターケース、またフィルターケースの持ち運び用バック内でフィルターケースの蓋が開いてしまいフィルターがバック内に飛び出したりしないフィルルターケース、更に撮影現場では、フィルターケースの開閉が容易で、且つ、確実にフィルターケースを保持した状態でなければフィルターケースの蓋が開かない開閉機構を有するカメラ用フィルターケースを提供するものである。
【背景技術】
【０００３】
デジタル一眼レフカメラにおいて、光学信号である画像を電気信号に変換する撮像素子（光学センサ）は、ＣＣＤイメージセンサかＣＭＯＳイメージセンサを搭載して高感度になり、微細な光信号までを正確にデジタルデータとして捉えられるようになってきている。
【０００４】
従って、デジタル一眼レフカメラにおいては、レンズ鏡筒の前面に各種フィルターを装着して光を吸収したり、透過させたり、或いは、光に変化をあたえるなど、光を制御するための各種フィルターが必要不可欠なものになってきており、各デジタルカメラのレンズ鏡筒に合わせた直径を有する各種サイズのフィルターや、偏光フィルター、光条効果フィルター、赤外線カットフィルター、減光フィルター、ソフト効果フィルターなど光を制御する機能付きフィルターが数多く提供されるようになってきた。
【０００５】
斯くして、本発明は、直径や厚さの異なるデジタルカメラ用フィルターや各種機能付きフィルターを一枚選択してフィルターケース内に納めて持ち運びするためのカメラ用フィルターケースに関するものであり、本発明に係る従来のカメラ用フィルターケースとして、本発明と同一出願人が意匠出願した意匠登録第１０７９７４３号公報（以下、特許文献１と称する）が開示されている。
【０００６】
而して、開示された従来のカメラ用フィルターケースの一例を特許文献１に基づき説明する。特許文献１を説明する図６（Ａ）、（Ｂ）、（Ｃ）において、図６（Ａ）は正面図、図６（Ｂ）は平面図、図６（Ｃ）は図５（Ｂ）のＡ−Ａ線断面図である。
【０００７】
図６（Ａ）、（Ｂ）、（Ｃ）において、５１はケース本体、５２はケース本体に設けられた箱部、５３はケース蓋であり、該ケース蓋５３には上箱部５４が設けられている。そして、ケース本体５１、箱部５２、並びにケース蓋５３と上箱部５４などフィルターケース５５全体は弾性と可撓性を有する樹脂から成る成形品である。
【０００８】
前記、ケース本体５１とケース蓋５３は、薄肉成形された丁番部５６により互いに開閉動作が可能で、矢印ａの動作にて図６（Ｃ）の如く閉じた場合、ケース蓋部５３に設けられたラッチ５７とケース本体５２に設けられたラッチ受け部５８が係合しフィルターケース５５のケース蓋５３がロックされている。また、ケース本体５２とケース蓋５３のロックを開口する場合には、ケース蓋部５３のラッチ５７に連繋して設けられたラッチ操作ツマミ５９を矢印ｂ（図６（Ｃ））の方向に上げることにより、前記ラッチ５７とラッチ受け部５８の係合が外れケース蓋５３が開口できる。
【０００９】
図６（Ｂ）において、６０はフィルターケース５５内に収めて持ち運びするフィルター（想像線にて示す）を示しており、該フィルター６０は、支持突起６１ａ、６１ｂと支持リブ６２ａ（支持リブ６２ａ、６２ｂ、６２ｃが設けられている）の三点で保持されている。また、６３はフィルター６０とは直径の異なるフィルターで、フィルター６３をフィルターケース５５に内蔵して持ち運ぶ場合には支持突起６１ａ、６１ｂと支持リブ６２ｂが用いられている。
【００１０】
斯くして、特許文献１において、開示された従来のフィルターケース５５は、一枚のフィルターを選択してフィルターケース５５内に収納してカメラバックやショルダーバック、或いはリュックに入れて持ち運ぶ際にフィルターケース５５内でフィルターが拘止されていないためにカタカタと音がする欠点があった。
【００１１】
また、特許文献１において開示されたフィルターケース５５はラッチ５７とラッチ受け部５８の係合によりフィルターケース５５のロックがなされているものでロックが外れやすく、持ち運び用バック内でフィルターケース５５の蓋が開いてしまいフィルターがバック内に飛び出してしまうことがあり、この欠点の解消が求められてきている。
【００１２】
更に特許文献１において開示されたフィルターケース５５は、撮影現場などにて、前記ラッチ操作ツマミ５９を下方向に押してしまう誤操作が発生し易く、フィルターケース５５の開口が困難になったり、急に開口されて収納されているフィルターが飛び出してしまう欠点があった。
【先行技術文献】
【特許文献】
【００１３】
特許文献１  意匠登録第１０７９７４３号公報
【発明の概要】
【発明が解決しようとする課題】
【００１４】
本発明は、サイズ（直径や厚さ）の異なるカメラ用フィルターを一枚選択してフィルターケース内に納めて持ち運びするタイプのカメラ用フィルターケースを提供するものである。
【００１５】
本発明のカメラ用フィルターケースは、一枚の選択されたフィルターをフィルターケース内に収納してカメラバックやショルダーバック、或いはリュックに入れて持ち運ぶ際にフィルターケース内でカタカタ音がしないフィルターケースを提供するものであり、また本発明のフィルターケースは、持ち運び用のバック内でフィルターケースの蓋が開いてしまいフィルターがバック内に飛び出したりしないフィルルターケースを提供するものである。
【００１６】
更に本発明のフィルターケースは、撮影現場などにおいてフィルターケースの開閉が容易で、且つ、確実にフィルターケースを保持した状態でなければフィルターケースの蓋が開かない開閉機構を有するカメラ用フィルターケースを提供するものである。
【課題を解決するための手段】
【００１７】
本発明において、弾性並びに可撓性を有する樹脂材料を成型して製作するフィルターケース本体は、ケース本体部とケース蓋部を丁番を介して連繋しており互いに回動することで開閉可能となし、前記ケース本体部には箱部を設け、またケース蓋部には上箱部を設けて、該ケース本体部の箱体とケース蓋部の上箱部が互いに重合することにより中空フィルター内蔵箱体を形成し、該中空フィルター内蔵箱体内にはフィルターを保持するための二つの支持突起と支持リブを持設し、該支持突起と支持リブ間に内接保持されたフィルターをケース本体部に設けられた押しツブシリブと前記ケース蓋内部に設けられた挟持用突部にて挟持する形状を有し、前記フィルターを挟持するケース本体部とケース蓋部間はケース本体ぶに設けられたラッチとケース蓋に設けられたラッチ受け部が係合することによりロックされ且つ内蔵されるフィルターがケース本体とケース蓋部間で挟持されている構成のカメラ用フィルターケースであり、本発明のカメラ用フィルターケースは、一枚の選択されたフィルターをフィルターケース内に収納してカメラバックやショルダーバック、或いはリュックに入れて持ち運ぶ際にフィルターケース内でしっかりとフィルターが拘止されており、カタカタ音がしないカメラ用フィルターケースを提供する。
【００１８】
また、本発明において、ケース本体部とケース蓋部間をロックするために設けられるラッチは、ケース本体に回転可能に設置された二本の枢軸に連繋して一体的に製作された夫々のツマミ用アームを設け、該夫々のツマミ用アーム間に装架された湾曲摺動ラッチ部と、該湾曲摺動ラッチ部中央に設けられた摺動子並びに摺動子上部に設けられた凸形状突起からなり、該摺動子並びに凸形状突起が前記ケース蓋部に設けられたラッチ受け部に係合してケース本体とケース蓋部間をロックする構成を有し、該ケース本体とケース蓋部のロック解除は前記二本の枢軸に連繋して一体的に製作された夫々のツマミ用アームを両端より摘むことによりツマミ用アーム間に装架された湾曲摺動ラッチ部を湾曲させて湾曲摺動ラッチ部中央に設けられた摺動子並びに摺動子上部に設けられた凸形状突起を摺動させることにより前記ラッチ受け部との係合を解除し前記凸形状突起がラッチ受け部を介してケース蓋部を上部に押し上げる構成を有しているカメラ用フィルターケースであり、撮影現場などにおいてフィルターケースの開閉が容易で、且つ、確実にフィルターケースを保持した状態でなければフィルターケースの蓋が開かない開閉機構を有するカメラ用フィルターケースを提供するものである。
【００１９】
そして、本発明は、ケース本体部の箱体とケース蓋体の上箱部や丁番並びにラッチ部、ラッチ受け部は弾性並びに可撓性を有するプラスチック樹脂材料を用いて成型し、前記ケース本体部の箱体内部に設けられるフィルターを保持するための支持リブ及び押しツブシリブは熱可塑性エラストマー樹脂をインサート成型してケース本体に溶着したカメラ用フィルターケースを提供する。
【００２０】
また、本発明におけるケース本体部の箱体内部に設けられるフィルターを保持するための支持リブは、複数本設けられ、該複数本の支持リブの内接面と対向する位置に設けられた二つの支持突起間の距離を変えることにより選択した直径サイズの異なるフィルターを一枚ずつ内蔵でき、該フィルターは前記ケース本体とケース蓋部間をラッチとラッチ受けにてロックすることにより前記フィルターがケース本体とケース蓋部間の押しツブシリブとケース蓋内部に設けられた挟持用突部にて挟持されている構成のカメラ用フィルターケースを提供するものである。
【００２１】
更に、本発明におけるケース本体部の箱体内部に設けられるフィルターを挟持するための押しツブシリブの断面形状は、三角形状、或いは台形状を有した熱可塑性エラストマー樹脂により形成されており、本発明のカメラ用フィルターケースは、一枚の選択されたフィルターをフィルターケース内に収納してカメラバックやショルダーバック、或いはリュックに入れて持ち運ぶ際にフィルターケース内でしっかりとフィルターが拘止されており、カタカタ音がしないカメラ用フィルターケースを提供する。
【発明の効果】
【００２２】
斯くして、本発明は、サイズ（直径や厚さ）並びにフィルター機能の異なるカメラ用フィルターを一枚選択してフィルターケース内に納めて持ち運びする優れたカメラ用フィルターケースを提供可能にするものである。
【００２３】
本発明のカメラ用フィルターケースは、一枚の選択されたフィルターをフィルターケース内に収納してカメラバックやショルダーバック、或いはリュックに入れて持ち運ぶ際にフィルターケース内でカタカタ音がしないフィルターケースを提供可能であり、また本発明のフィルターケースは、持ち運び用のバック内でフィルターケースの蓋が開いてしまいフィルターがバック内に飛び出したりしないフィルルターケースを提供できるものである。
【００２４】
更に本発明のフィルターケースは、撮影現場などにおいてフィルターケースの開閉が容易で、且つ、確実にフィルターケースを保持した状態でなければフィルターケースの蓋が開かない開閉機構を提供して、フィルターケースの開口時に内蔵されたフィルターが不意に飛び出して落下しない機構を有するカメラ用フィルターケースを提供するものである。
【図面の簡単な説明】
【００２５】
【図１】（Ａ）本発明の実施例１を説明する正面図である。         （Ｂ）図１（Ａ）の側面図である。
【図２】（Ａ）図１（Ａ）の右側面図である。         （Ｂ）図２（Ａ）の断面図である。
【図３】本発明の実施例１を開口した状態を示す正面図である。
【図４】（Ａ）本発明の支持リブ及び押しツブシリブの形状説明図である。         （Ｂ）押しツブシリブの断面形状例を示す説明図である。         （Ｃ）押しツブシリブの他の断面形状例を示す説明図である。
【図５】（Ａ）本発明のラッチ及びラッチ受け部の形状説明図である。         （Ｂ）ラッチの形状を説明する要部拡大断面図である。         （Ｃ）ラッチの動きを説明する要部拡大断面図である。
【図６】（Ａ）従来例を説明する正面図である。         （Ｂ）従来例を説明する平面図である。         （Ｃ）従来例のロック状態を説明する拡大断面図である。
【発明を実施するための形態】
【００２６】
本発明は、サイズ（直径や厚さ）やフィルター機能の異なるカメラ用フィルターを一枚選択してフィルターケース内に納めて持ち運びするタイプのカメラ用フィルターケースを提供するものである。
【００２７】
本発明のカメラ用フィルターケースは、一枚の選択されたフィルターをフィルターケース内に収納してカメラバックやショルダーバック、或いはリュックに入れて持ち運ぶ際にフィルターケース内でカタカタ音がしないフィルターケースを提供するものであり、直径や厚さの異なるフィルターをフィルターケース内において確実に拘止して持ち運びできるカメラ用フィルターケースを提供するものである。
【００２８】
また本発明のフィルターケースは、持ち運び用のバック内でフィルターケースの蓋が開いてしまいフィルターがバック内に飛び出したりしないロック機構を有するフィルルターケースを提供するものである。
【００２９】
更に本発明のフィルターケースは、撮影現場などにおいてフィルターケースの開閉が容易で、且つ、確実にフィルターケースを保持した状態でなければフィルターケースの蓋が開かない開閉機構を有するカメラ用フィルターケースを提供するものである。
【００３０】
本発明において、弾性並びに可撓性を有する樹脂材料を成型して製作するフィルターケース本体は、ケース本体部とケース蓋部を丁番を介して連繋しており互いに回動することで開閉可能となし、前記ケース本体部には箱部を設け、またケース蓋部には上箱部を設けて、該ケース本体部の箱体とケース蓋部の上箱部が互いに重合することにより中空フィルター内蔵箱体を形成し、該中空フィルター内蔵箱体内にはフィルターを保持するための二つの支持突起と支持リブを持設し、該支持突起と支持リブ間に内接保持されたフィルターをケース本体部に設けられた押しツブシリブと前記ケース蓋内部に設けられた挟持用突部にて挟持する形状を有し、前記フィルターを挟持するケース本体部とケース蓋部間はケース本体に設けられたラッチとケース蓋に設けられたラッチ受け部が係合することによりロックされ且つ内蔵されるフィルターがケース本体とケース蓋部間で挟持されている構成のカメラ用フィルターケースであることが好ましい。
【００３１】
そして、本発明のカメラ用フィルターケースは、一枚の選択されたフィルターをフィルターケース内に収納してカメラバックやショルダーバック、或いはリュックに入れて持ち運ぶ際にフィルターケース内でしっかりとフィルターが拘止されており、カタカタ音がしないカメラ用フィルターケースを提供する。
【００３２】
また、本発明において、ケース本体部とケース蓋部間をロックするために設けられるラッチは、ケース本体に回転可能に設置された二本の枢軸に連繋して一体的に製作された夫々のツマミ用アームを設け、該夫々のツマミ用アーム間に装架された湾曲摺動ラッチ部と、該湾曲摺動ラッチ部中央に設けられた摺動子並びに摺動子上部に設けられた凸形状突起からなり、該摺動子並びに凸形状突起が前記ケース蓋部に設けられたラッチ受け部に係合してケース本体部とケース蓋部間をロックする構成を有し、該ケース本体部とケース蓋部のロック解除は前記二本の枢軸に連繋して一体的に製作された夫々のツマミ用アームを両端より摘むことによりツマミ用アーム間に装架された湾曲摺動ラッチ部を湾曲させて湾曲摺動ラッチ部中央に設けられた摺動子並びに摺動子上部に設けられた凸形状突起を摺動させることにより前記ラッチ受け部との係合を解除し前記凸形状突起がラッチ受け部を介してケース蓋部を上部に押し上げる構成を有しているカメラ用フィルターケースであることが好ましい。
【００３３】
そして、本発明は、撮影現場などにおいてフィルターケースの開閉が容易で、且つ、確実にフィルターケースを保持した状態でフィルターケース本体の外周部に突出したツマミ用アームを両端から摘む操作をしなければフィルターケースの蓋が開かない開閉機構を有するカメラ用フィルターケースを提供するものである。
【００３４】
また、本発明は、ケース本体部の箱体とケース蓋体の上箱部や丁番並びにラッチ部、ラッチ受け部は弾性並びに可撓性を有するプラスチック樹脂材料を用いて成型し、前記ケース本体部の箱体内部に設けられるフィルターを保持するための支持リブ及び押しツブシリブは熱可塑性エラストマー樹脂をインサート成型してケース本体に溶着した構成であることが好ましい。
【００３５】
更に、本発明において、ケース本体部の箱体内部に設けられるフィルターを保持するための支持リブは、複数本設けられ、該複数本の支持リブの内接面と対向する位置に設けられた二つの支持突起間の距離を変えることにより選択した直径サイズの異なるフィルターを一枚ずつ内蔵でき、該フィルターは前記ケース本体とケース蓋部間をラッチとラッチ受けにてロックすることにより前記フィルターがケース本体部とケース蓋部間の押しツブシリブとケース蓋内部に設けられた挟持用突部にて挟持されている構成であることが好ましい。
【００３６】
更にまた、本発明において、ケース本体部の箱体内部に設けられるフィルターを挟持するための押しツブシリブの断面形状は、三角形状、或いは台形状を有した熱可塑性エラストマー樹脂により形成されていることが好ましく、本発明のカメラ用フィルターケースは、一枚の選択されたフィルターをフィルターケース内に収納してカメラバックやショルダーバック、或いはリュックに入れて持ち運ぶ際にフィルターケース内でしっかりとフィルターが拘止されており、カタカタ音がしないカメラ用フィルターケースを提供する。
【００３７】
斯くして、本発明は、サイズ（直径や厚さ）やフィルター機能の異なるカメラ用フィルターを一枚選択してフィルターケース内に納めて持ち運びする優れたカメラ用フィルターケースを提供可能にするものである。
【００３８】
本発明のカメラ用フィルターケースは、一枚の選択されたフィルターをフィルターケース内に収納してカメラバックやショルダーバック、或いはリュックに入れて持ち運ぶ際にフィルターケース内でカタカタ音がしないフィルターケースを提供可能であり、また本発明のフィルターケースは、持ち運び用のバック内でフィルターケースの蓋が開いてしまいフィルターがバック内に飛び出したりしないフィルルターケースを提供できるものである。
【００３９】
更に本発明のフィルターケースは、撮影現場などにおいてフィルターケースの開閉が容易で、且つ、確実にフィルターケースを保持した状態でなければフィルターケースの蓋が開かない開閉機構を提供して、フィルターケースの開口時に内蔵されたフィルターが不意に飛び出して落下しない機構を有するカメラ用フィルターケースを提供するものである。
【実施例１】
【００４０】
図において、図１（Ａ）は本発明の実施例１を説明する正面図、図２（Ｂ）は図１（Ａ）の側面図、図２（Ａ）は図１の左側面図、図２（Ｂ）は図２（Ａ）の断面図である。また、図３は実施例１を開口した状態を示す正面図で、図４（Ａ）は本発明の支持リブ及び押しツブシリブの形状説明図、図４（Ｂ）は押しツブシリブの断面形状例を示す説明図、図４（Ｃ）は押しツブシリブの他の断面形状例を示す説明図、図５（Ａ）はラッチ及びラッチ受け部の形状説明図、図５（Ｂ）はラッチの形状を説明する要部拡大断面図、図５（Ｃ）はラッチの動きを説明する要部拡大断面図である。
【００４１】
図１乃至図３において、１はフィルターケース本体、２はケース本体部、３はケース蓋部、４はケース本体部に設けられた箱部、５はケース蓋部に設けられた上箱部、６は前記ケース本体部とケース蓋部３を回動自在に連繋している丁番、７ａ、７ｂはラッチ８に連繋したツマミ用アーム、９はラッチ８の中央部に設けられた摺動子、１０は湾曲摺動ラッチ部、１１はラッチ受け部、１２はラッチ係合用の孔、１３はケース内容物確認用透明窓、１４は前記ケース本体部２に設けられた箱部４とケース蓋部３に設けられた上箱部５が互いに重合した時に形成される中空フィルター内蔵箱体である。
【００４２】
斯くして、図３は、実施例１を開口した状態示す正面図で、ケース本体部２とケース蓋部３の内部側が図示されており、図３において、１はフィルターケース本体、３はケース蓋部、５はケース蓋部に設けられた上箱部、６はケース本体部２とケース蓋部３を回動自在に連繋している丁番、１１はラッチ受け部、１２はラッチ系合用の孔、１５はフィルター挟持用突起部で、該フィルター挟持用突起１５は、図２（Ｂ）に示す如くケース内部側に湾曲した突部を形成してフィルターを挟持するための片側部形状を形成している。
【００４３】
前記フィルターを挟持する他方側、即ちケース本体部２には、二つの支持突起１６ａ、１６ｂと台座１７を介して複数本の支持リブ１８ａ、１８ｂ、１８ｃ・・・が対向して設けられており、前記フィルターケース本体１に内蔵されて持ち運びされるフィルター１９やフィルター２０は、支持突起１６ａ、１６ｂと支持リブ１８ａの三点で保持されている。また、フィルター１９とフィルター２０は直径の異なるフィルターで、フィルター２０をフィルターケース本体１に内蔵して持ち運ぶ場合には支持突起１６ａ、１６ｂと支持リブ１８ｂが用いられている。
【００４４】
そして、前記台座１７上には、図４に示す如く複数本の支持リブ１８ａ、１８ｂ、１８ｃ・・・とクロスした状態にて二本の押しツブシリブ２１ａ、２１ｂが設けられており、該押しツブシリブ２１ａ、２１ｂの断面形状は、図４（Ｂ）に示す如く三角形状を有しており、或いは図４（Ｃ）に示す如く台形状を有している。
【００４５】
従って、本発明のフィルターケース本体１にフィルター１９や２０を収納して持ち運ぶ場合には、ケース本体部２に設けられた二つの支持突起１６ａ、１６ｂと支持リブ１８ａ、１８ｂ、１８ｃ・・・のいずれかにより位置決めされて保持され、前記ケース蓋部３に設けられたフィルター挟持用突起部１５とケース本体部２に設けられた二本の押しツブシリブ２１ａ、２１ｂ間で挟持され、フィルター１９、またはフィルター２０などがしっかりと拘止されていることになる。
【００４６】
斯くして、図３に示されたラッチ８とラッチ受け部１１の構成について説明する。ラッチ８はケース本体部２に枢着された二本の枢軸２４ａ、２４ｂに連繋して一体的に製作されたツマミ用アーム７ａ、７ｂを設け、該夫々のツマミ用アーム７ａ、７ｂ間に装架された湾曲摺動ラッチ部１０と、該湾曲摺動ラッチ部１０の中央に設けられた摺動子９、並びに摺動子９の上部に設けられた凸状突起２５から構成されており、このラッチ８とラッチ受け部１１の関係は、図５（Ａ）に拡大斜視図にて図示している。
【００４７】
図５（Ａ）において、ケース蓋３に設けられたラッチ受け部１１には、ラッチ係合用の孔１２が穿設されており、該ラッチ受け部１１は矢印ｃの方向に閉じられると、図５（Ｂ）に示す如く摺動子９と凸状突起２５が前記ラッチ係合用の孔１２に係合してケース本体部２とケース蓋部３をロックして収納されたフィルター１９、またはフィルター２０を挟持して拘止する。
【００４８】
図５（Ｃ）は上記図５（Ａ）のケース本体部２とケース蓋部３のロック状態を解除した状態を示すもので、この解除の動作は片手でケース本体部２を把持し、他の手先により前記ツマミ用アーム７ａ、７ｂを図５（Ａ）の矢印ｅ、ｅ方向に摘み押圧する。この動作により前記湾曲摺動ラッチ部１０は湾曲して、該湾曲摺動ラッチ部１０の中央に位置する摺動子９をスライドさせ摺動子９の上部に凸状突起２５が前記ラッチ受け部１１のラッチ係合用の孔１２から離間して、ロックが解除されると共に、前記凸状突起２５がケース蓋部２を上部に押し上げロックの解除を確実に伝達できる。
【００４９】
斯くして、本発明において、弾性並びに可撓性を有する樹脂材料を成型して製作するフィルターケース本体１は、ケース本体部２とケース蓋部３を丁番６を介して連繋しており互いに回動することで開閉可能となし、前記ケース本体部２には箱部４を設け、またケース蓋部３には上箱部５を設けて、該ケース本体部２の箱体４とケース蓋部３の上箱部５が互いに重合することにより中空フィルター内蔵箱体１４を形成し、該中空フィルター内蔵箱体内１４にはフィルター１９またはフィルター２０を保持するための二つの支持突起１６ａ、１６ｂと支持リブ１８ａ、１８ｂ、１８ｃ・・・を持設し、該支持突起１６ａ、１６ｂと支持リブ１８ａ、１８ｂ、１８ｃ・・・間に内接保持されたフィルター１９、または２０をケース本体部２に設けられた押しツブシリブ２１ａ、２１ｂと前記ケース蓋３内部に設けられたフィルター挟持用突部１５にて挟持する形状を有し、前記フィルター１９または２０を挟持するケース本体部２とケース蓋部３間はケース本体２に設けられたラッチ８とケース蓋３に設けられたラッチ受け部１０が係合することによりロックされ、且つ内蔵されるフィルター１９または２０がケース本体部２とケース蓋部３間で挟持されているカメラ用フィルターケースを提供する。
【００５０】
また、本発明において、前記ケース本体部２とケース蓋部３間をロックするために設けられるラッチ８はケース本体部２に回転可能に設置された二本の枢軸２４ａ、２４ｂに連繋して一体的に製作された夫々のツマミ用アーム７ａ、７ｂ設け、該夫々のツマミ用アーム７ａ、７ｂ間に装架された湾曲摺動ラッチ部１０と、該湾曲摺動ラッチ部１０中央に設けられた摺動子９、並びに摺動子９上部に設けられた凸形状突起２５からなり、該摺動子９、並びに凸形状突起２５が前記ケース蓋部３に設けられたラッチ受け部に係合してケース本体部とケース蓋部間をロックする構成を有し、該ケース本体部２とケース蓋部３のロック解除は前記二本の枢軸２４ａ、２４ｂに連繋して一体的に製作された夫々のツマミ用アーム７ａ、７ｂを両端より摘むことによりツマミ用アーム７ａ、７ｂ間に装架された湾曲摺動ラッチ部１０を湾曲させて湾曲摺動ラッチ部１０中央に設けられた摺動子９、並びに摺動子９上部に設けられた凸形状突起２５を摺動させることにより前記ラッチ受け部１１との係合を解除し前記凸形状突起２５がラッチ受け部１１を介してケース蓋部３を上部に押し上げる構成を有しているカメラ用フィルターケースである。
【００５１】
そして、本発明は前記ケース本体部２の箱体４とケース蓋体３の上箱部５や丁番６、並びにラッチ８、ラッチ受け部１１は弾性並びに可撓性を有するプラスチック樹脂材料を用いて成型し、前記ケース本体部２の箱体４内部に設けられるフィルター１９、または２０を保持するための支持リブ１８ａ、１８ｂ、１８ｃ・・・、及び押しツブシリブ２１ａ、２１ｂは熱可塑性エラストマー樹脂をインサート成型してケース本体に溶着する構成を採用している。
【００５２】
斯くして、本発明における前記ケース本体部２の箱体４内部に設けられるフィルター１９、または２０を保持するための支持リブ１８ａ、１８ｂ、１８ｃ・・・は複数本設けられ、該複数本の支持リブ１８ａ、１８ｂ、１８ｃ・・・の内接面と対向する位置に設けられた二つの支持突起１６ａ、１６ｂ間の距離を変えることにより選択した直径サイズの異なるフィルター１９、または２０などを一枚ずつ内蔵でき、該フィルター１９、２０などは前記ケース本体２とケース蓋部３間をラッチ８とラッチ受け部１０にてロックすることにより前記フィルター１９、２０などがケース本体部とケース蓋部３間の押しツブシリブ２１ａ、２１ｂとケース蓋部３内部に設けられたフィルター挟持用突部１５にて挟持されているカメラ用フィルターケースである。
【００５３】
更に、本発明における前記ケース本体部２の箱体４内部に設けられるフィルター１９、または２０を挟持するための押しツブシリブ２１ａ、２１ｂの断面形状は三角形状２２、或いは台形状２３を有した熱可塑性エラストマー樹脂により形成されているカメラ用フィルターケースである。
【００５４】
そして、本発明は、上記構成を採用することにより、サイズ（直径や厚さ）並びにフィルター機能の異なるカメラ用フィルターを一枚選択してフィルターケース内に納めて持ち運びする優れたカメラ用フィルターケースを提供可能にするものである。
【００５５】
本発明のカメラ用フィルターケースは、一枚の選択されたフィルターをフィルターケース内に収納してカメラバックやショルダーバック、或いはリュックに入れて持ち運ぶ際にフィルターケース内でカタカタ音がしないフィルターケースを提供可能であり、また本発明のフィルターケースは、持ち運び用のバック内でフィルターケースの蓋が開いてしまいフィルターがバック内に飛び出したりしないフィルルターケースを提供できるものである。
【００５６】
また、本発明のフィルターケースは、撮影現場などにおいてフィルターケースの開閉が容易で、且つ、確実にフィルターケースを保持した状態でなければフィルターケースの蓋が開かない開閉機構を提供して、フィルターケースの開口時に内蔵されたフィルターが不意に飛び出して落下しない機構を有するカメラ用フィルターケースを提供するものである。
【符号の説明】
【００５７】
１  フィルターケース本体
２  ケース本体部
３  ケース蓋部
４  箱部
５  上箱部
６  丁番
７ａ、７ｂ  ツマミ用アーム
８  ラッチ
９  摺動子
１０  湾曲摺動ラッチ部
１１  ラッチ受け部
１２  ラッチ係合用の孔
１３  ケース内容物確認用透明窓
１４  中空フィルター内蔵箱体
１５  フィルター挟持用突起部
１６ａ、１６ｂ  支持突起
１７  台座
１８ａ、１８ｂ、１８ｃ・・・  支持リブ
１９  フィルター
２０  フィルター
２１ａ、２１ｂ  押しツブシリブ
２２  三角形状
２３  台形状
２４ａ、２４ｂ  枢軸
２５  凸状突起
【図１】
0005362809.tif 000002
【図２】
0005362809.tif 000003
【図３】
0005362809.tif 000004
【図４】
0005362809.tif 000005
【図５】
0005362809.tif 000006
【図６】
0005362809.tif 000007